(57)【要約】【課題】機密性を有する文書が製版・印刷され、長期間放置されるような状態に置かれても、残像現象による機密の漏洩が抑止できる孔版印刷装置を提供する。【解決手段】孔版印刷システム１は、文書を製版・印刷した際、印刷終了後に、新たにマスタを不規則な製版パターンで製版し、印刷ドラムに装填するかどうか、の有効／無効を指定するランダム製版巻き付けモード指定手段２と、最後に行われた製版・印刷された文書のマスタ上の画像サイズと位置を記憶しておく画像サイズ・位置記憶手段８と、文書の製版・印刷が最後に行われた時点からの時間経過を計測する計時手段３と、現在の印刷ドラムに巻装されているマスタがランダム製版巻き付けされたものか否かの状態を記憶しておく巻装マスタ情報保持手段９と、を備える。【選択図】図１
2012040810.tif 000002
【特許請求の範囲】
【請求項１】
潜像が形成されたマスタにより用紙に可視画像を形成する孔版印刷装置であって、
製版もしくは印刷後に、新たにマスタを不規則な製版パターンで製版を行うランダムパターンで製版し、印刷ドラムに装填するランダム製版巻き付けを行うか否かを指定するランダム製版巻き付けモード指定手段と、
直近に製版された文書のマスタ上の画像サイズと位置とを記憶する画像サイズ位置記憶手段と、
直近に製版もしくは印刷が行われた時点からの時間を計測する計時手段と、
前記印刷ドラムに巻装されている前記マスタが前記ランダム製版巻き付けされたものか否かを記憶する巻装マスタ情報保持手段と、
前記ランダム製版巻き付けモード指定手段により、巻き付けを指定された場合に、ランダム製版巻き付け処理の各種パラメータを指定するランダム製版パラメータ指定手段と、
前記ランダム製版巻き付けパラメータ指定手段で指定されたパラメータに基づいて、前記ランダムパターンを生成するランダムパターン生成手段と、
前記ランダム製版巻き付けモード指定手段の指定が、前記ランダム製版巻き付け処理を行う旨の場合、
前記計時手段により計時された時間経過が、前記各種パラメータで予め設定された巻き付け待機時間を超え、且つ、前記巻装マスタ情報保持手段の情報がランダム製版巻き付けされたものでない時に、
前記パラメータに基づいて、前記ランダムパターンにより前記マスタ上の画像サイズと位置とにマスタを製版して印刷ドラムに装填し、前記巻装マスタ情報保持手段の記憶を更新する制御手段と、
を有することを特徴とする孔版印刷システム。
【請求項２】
手動により任意のタイミングで前記ランダム製版巻き付け処理を行う手動ランダム製版巻き付け操作手段を有することを特徴とする請求項１に記載の孔版印刷システム。
【請求項３】
製版マスタを露出させない印刷ドラムロックと追加印刷させない印刷ロックとを行うシークレットモードを設定するシークレットモード設定手段を有し、
前記計時手段により計測された時間が予め設定された巻き付け待機時間を超えた場合、
前記制御手段は、前記ランダム製版巻き付け処理を行った後に、前記シークレットモードを解除することを特徴とする請求項1または２に記載の孔版印刷システム。
【請求項４】
前記ドラムロック及び前記印刷ロックに加え、排版ボックスを引き抜けなくする排版ボックスロックを行うセキュリティモードを設定するセキュリティモード設定手段を有し、
前記計時手段により計測された時間が予め設定された巻き付け待機時間を超えた場合、
前記制御手段は、前記ランダム製版巻き付け処理を行った後に、前記シークレットモードを一時的に解除することを特徴とする請求項１から３の何れか１項に記載の孔版印刷システム。
【請求項５】
前記セキュリティモード設定手段を有し、
前記制御手段は、手動により前記ランダム製版巻き付け処理を行った後に、前記セキュリティモードを一時的に解除することを特徴とする請求項２から４の何れか１項に記載の孔版印刷システム。
【請求項６】
前記ランダムパターンは、
疑似乱数から生成されたランダムドットパターン、
当該孔版印刷装置に搭載されている簡易図形について同一種類でないものを混在羅列したもの、
当該孔版印刷装置に搭載されている文字フォントについて同一種類でないものを混在羅列したもの、
および、ダウンロードにより当該孔版印刷装置で利用可能となった文字フォント及び簡易図形について同一種類でないものを混在羅列したもの、の少なくとも1つから構成されることを特徴とする請求項１から５の何れか１項に記載の孔版印刷システム。
【請求項７】
前記ランダムパターンは、
前記ランダムドットパターンの場合は解像度変換したものであり、
簡易図形もしくは文字フォントの場合は、サイズ変倍もしくは回転処理したもの、
であること特徴とする請求項６に記載の孔版印刷システム。
【請求項８】
製版された文書種類もしくは大勢を占める文書要素を自動判別し記憶しておく文書要素判別記憶手段と、
前記文書要素判別記憶手段により判別された文書種類と前記ランダムパターンとの対応付けを予め行う文書要素ランダムパターン対応手段と、を有し、
前記制御手段は、製版された文書の種類及び大勢を占める文書要素に基づいて、予め定められた対応表から前記ランダムパターンを選択することを特徴とする請求項６または７に記載の孔版印刷システム。
【請求項９】
製版された文書種類及び文書要素が占める領域と位置とに基づいて、予め定められた対応表から前記ランダムパターンを選択することを特徴とする請求項８に記載の孔版印刷システム。
【請求項１０】
製版された文書種類及び大勢を占める文書要素の判別結果は、操作者に閲覧可能であり、且つ、手動で当該文書要素の指定や修正が可能であることを特徴とする請求項８または９に記載の孔版印刷システム。
【請求項１１】
前記文書要素判別記憶手段により判別された文書種類及び文書要素と、前記ランダムパターンの対応付けが予め定められた対応表は、操作者に閲覧可能であり、且つ、手動で前記対応表の内容の指定及び修正が可能であることを特徴とする請求項８または９に記載の孔版印刷システム。
【請求項１２】
前記文書種類及び文書要素は、
和文文字、英文文字、線画図形、および写真イメージ、の少なくとも１つを含むものに分類されることを特徴とする請求項８から１１の何れか１項に記載の孔版印刷システム。
【請求項１３】
実際に前記ランダム製版巻き付けを行うことなく、事前にランダム製版巻き付けに処されるランダム製版パターンの確認を行うか否かを指定するランダム製版巻き付けテスト手段と、
画像表示、もしくは外部装置とデータ情報のやり取りを行って無給電で画像表示を行う画像表示手段と、を有し、
前記制御手段は、前記ランダム製版巻き付けテスト手段によって、テスト実施が指定された時、テスト用文書を読み取り、読み取った文書種類及び文書要素に対応したランダム製版パターンを生成し、前記ランダム製版パターンもしくは前記ランダム製版パターンとテスト用文書画像を重畳した画像イメージを前記画像表示手段により表示させることを特徴とする請求項１から１２の何れか１項に記載の孔版印刷システム。
【発明の詳細な説明】
【技術分野】
【０００１】
本発明は、画像形成された内容が機密性を有する場合に機密保持機能を有する孔版印刷システムに関する。
【背景技術】
【０００２】
現在、孔版印刷装置において、機密性を有する文書の製版・印刷を行う際の機密漏洩の抑止策としては、以下のようなものがある。
【０００３】
機密性を有する文書の製版・印刷終了後、操作者により、当該印刷ドラムを当該孔版印刷機から引き抜けなくさせ（印刷ドラムロック）、且つ、追加の印刷をできなくさせる（印刷ロック）ことによって、印刷ドラムに巻装されている製版マスタの露出や追加印刷による機密の漏洩を防ぐ、いわゆるシークレットモードと言われるものがある。ちなみに、このシークレットモードの解除は、新たな文書の製版・印刷がなされることにより、自動的に解除される。
【０００４】
また、機密性を有する文書の製版・印刷に伴う機密の漏洩を防ぐために、シークレットモードで規制されている制限機能に加え、更に排版ボックスを当該孔版印刷機から引き抜けなくさせる（排版ボックスロック）ことによって製版マスタのスキャベジング等による機密の漏洩を防ぐ、いわゆるセキュリティモードと言われるものもある。ちなみに、このセキュリティモードの解除は、操作者もしくは装置管理者による認証を経た後の解除の設定がなされない限り解除されない。
【０００５】
また、機密性を有する文書が製版され、印刷ドラムに巻装されたマスタに、移動可能な発熱部材を順次押し付け、マスタのフィルム層を溶解させて、画像を形成している部分を破壊するような方法も考案されている。当該方式としては、特許文献１に記載の方式がある。
【０００６】
更に、操作者の操作により、無製版の（何も画像が形成されていない）マスタを印刷ドラムに巻きつける、いわゆる無製版巻き付けとよばれる方法がある。この方法の本来の目的は、印刷ドラムにマスタが何も巻かれていない状態で長期間放置されることによる印刷ドラム乾燥やインキの固着を防ぐこと、また、長期間放置後であっても最初の1枚目の印刷から良好な印刷画像を得ることが可能なこと（画像立ち上がり改善）である。
【０００７】
しかしながら、無製版のマスタを巻装することにより、機密性を有するマスタが巻装されている印刷ドラムの暴露による機密の漏洩というリスクを回避することができるため、機密漏洩抑止策としても転用されている。当該方式としては、特許文献２記載の方式がある。
【０００８】
更に、前記無製版マスタの巻き付けではマスタを余分に消費するため、一度排版された使用済みマスタを排版ボックスから印刷ドラムに再び巻装するというような方法も考案されている。当該方式としては、特許文献３記載の方式がある。
【発明の概要】
【発明が解決しようとする課題】
【０００９】
しかし、上記従来技術においては下記の問題が存在している。
【００１０】
機密性を有する文書の製版・印刷終了から長期間放置した後、新たな文書を製版・印刷すると、印刷の最初の何枚かにおいて、直前に製版・印刷された文書の残像が重畳されて現れるという現象がある。
【００１１】
これは、直前の製版・印刷された文書の画像イメージが、長期間の放置された結果、印刷ドラム内のインキの水相成分の蒸発が穿孔部（画像部）から起こり、これにより、インキの組成分布という形で残存しているためである。
【００１２】
このため、この残像現象による機密の漏洩は、従来のシークレットモードやセキュリティモードでは解消・抑制することができないという問題があった。
【００１３】
また、機密性を有する文書が製版され、印刷ドラムに巻装されたマスタに、移動可能な発熱部材を順次押し付け、マスタのフィルム層を溶解させて、画像を形成している部分を破壊するような方法では、発熱部材とその移動手段を装備しなければならず、また、仮に装備したとしても、マスタ溶融の際に生成されるフィルム層の残渣が、印刷ドラムに固着したり、場合によっては、版胴と呼ばれるインキの透過と印刷ドラムの機械的構造を担うメッシュ部分に目詰まりを引き起こしてしまう問題があった。
【００１４】
また、無製版巻き付けによる方法では、印刷ドラム内の水相成分の蒸発は、無製版マスタの巻装により抑制されるものの、印刷により消費された穿孔部分（画像形成部分）のインキと未穿孔部分（非画像部）のインキとによる組成分布は依然として残存してしまう。
【００１５】
更に、一度排版された使用済みマスタを排版ボックスから印刷ドラムに再び巻装するというような方法では、そもそも、使用済みマスタが機密性を有するものであった場合は意味をなさず、前述の引例では、通常の使用済みマスタと機密性を有する使用済みマスタの判別装着については、なんら言及されていない。また、物理的に幾重にも折り畳まれ圧縮された使用済みマスタを再巻装するには、マスタ端の取り出し、他の使用済みマスタとの絡まりの解し、マスタ破れ等、実装上の問題も多い。
【００１６】
仮に、通常の使用済みマスタを再巻装できるとしても、当該マスタで、画像立ち上げのための試し印刷や慣らし印刷が行われた場合、いくら機密性を有しないマスタであったとしても、著作権や倫理上の問題が生じてしまう。
【００１７】
本発明は、上記問題点に鑑みてなされたものであり、機密性を有する文書が製版・印刷され、長期間放置されるような状態に置かれても、残像現象による機密の漏洩が抑止できる孔版印刷システムを提供することを目的とする。
【課題を解決するための手段】
【００１８】
本発明の孔版印刷システムは、潜像が形成されたマスタにより用紙に可視画像を形成する孔版印刷装置であって、製版もしくは印刷後に、新たにマスタを不規則な製版パターンで製版を行うランダムパターンで製版し、印刷ドラムに装填するランダム製版巻き付けを行うか否かを指定するランダム製版巻き付けモード指定手段と、直近に製版された文書のマスタ上の画像サイズと位置とを記憶する画像サイズ位置記憶手段と、直近に製版もしくは印刷が行われた時点からの時間を計測する計時手段と、前記印刷ドラムに巻装されている前記マスタが前記ランダム製版巻き付けされたものか否かを記憶する巻装マスタ情報保持手段と、前記ランダム製版巻き付けモード指定手段により、巻き付けを指定された場合に、ランダム製版巻き付け処理の各種パラメータを指定するランダム製版パラメータ指定手段と、前記ランダム製版巻き付けパラメータ指定手段で指定されたパラメータに基づいて、前記ランダムパターンを生成するランダムパターン生成手段と、前記ランダム製版巻き付けモード指定手段の指定が、前記ランダム製版巻き付け処理を行う旨の場合、前記計時手段により計時された時間経過が、前記各種パラメータで予め設定された巻き付け待機時間を超え、且つ、前記巻装マスタ情報保持手段の情報がランダム製版巻き付けされたものでない時に、前記パラメータに基づいて、前記ランダムパターンにより前記マスタ上の画像サイズと位置とにマスタを製版して印刷ドラムに装填し、前記巻装マスタ情報保持手段の記憶を更新する制御手段と、を有することを特徴とする。
【発明の効果】
【００１９】
本発明によれば、機密性を有する文書が製版・印刷され、長期間放置されるような状態に置かれても、残像現象による機密の漏洩を抑止することが可能となる。
【図面の簡単な説明】
【００２０】
【図１】本発明の第１の実施形態に係る孔版印刷システムの構成を示すブロック図である。
【図２】本発明の第１の実施形態に係る孔版印刷システムが適用された孔版印刷装置の一例を示す概略図である。
【図３】本発明の第１の実施形態に係る孔版印刷装置制御部のハードウェア（電装基板）構成の一例を示す概略図である。
【図４】本発明の第１の実施形態に係る孔版印刷装置の動作時にタッチパネルに表示される画面の一例を示す図である。
【図５】本発明の第１の実施形態に係る孔版印刷装置の動作時にタッチパネルに表示される画面の一例を示す図である。
【図６】本発明の第１の実施形態に係る孔版印刷装置の動作時にタッチパネルに表示される画面の一例を示す図である。
【図７】本発明の第１の実施形態に係る孔版印刷システムの動作を説明するフローチャート図である。
【図８】本発明の第１の実施形態に係る孔版印刷システムが実行するランダム製版パターンの例を示す図である。
【図９】本発明の第１の実施形態に係る孔版印刷システムが実行するランダム製版パターンの例を示す図である。
【図１０】本発明の第１の実施形態に係る残像現象を示す図である。
【図１１】本発明の第１の実施形態に係る残像現象を示す図である。
【図１２】本発明の第１の実施形態に係る残像現象の抑制を示す図である。
【図１３】本発明の第１の実施形態に係る孔版印刷装置のシークレットモード及びセキュリティモードを示す図である。
【図１４】本発明の第２の実施形態に係る孔版印刷装置の動作時にタッチパネルに表示される画面の一例を示す図である。
【図１５】本発明の第２の実施形態に係る孔版印刷装置の動作時にタッチパネルに表示される画面の一例を示す図である。
【図１６】本発明の第２の実施形態に係る孔版印刷システムの動作を説明するフローチャート図である。
【図１７】本発明の第２の実施形態に係る孔版印刷システムが実行するランダム製版パターンの例を示す図である。
【図１８】本発明の第２の実施形態に係る孔版印刷システムが実行するランダム製版パターンの例を示す図である。
【図１９】本発明の第３の実施形態に係る孔版印刷システムの構成を示すブロック図である。
【図２０】本発明の第３の実施形態に係る孔版印刷装置の動作時にタッチパネルに表示される画面の一例を示す図である。
【図２１】本発明の第３の実施形態に係る孔版印刷装置の動作時にタッチパネルに表示される画面の一例を示す図である。
【図２２】本発明の第３の実施形態に係る孔版印刷装置の動作時にタッチパネルに表示される画面の一例を示す図である。
【図２３】本発明の第３の実施形態に係る孔版印刷システムが実行するメイキャップパターン例を示す図である。
【図２４】本発明の第３の実施形態に係る孔版印刷システムの動作を説明するフローチャート図である。
【図２５】本発明の第３の実施形態に係る文書種類とランダム製版パターンの対応を説明する図である。
【図２６】本発明の第４の実施形態に係る孔版印刷システムの動作を説明するフローチャート図である。
【図２７】本発明の第４の実施形態に係る文書要素とランダム製版パターンの対応を説明する図である。
【図２８】本発明の第５の実施形態に係る孔版印刷システムの構成を示すブロック図である。
【図２９】本発明の第５の実施形態に係る孔版印刷装置の動作時にタッチパネルに表示される画面の一例を示す図である。
【図３０】本発明の第５の実施形態に係る孔版印刷システムの動作を説明するフローチャート図である。
【図３１】本発明の第５の実施形態に係る孔版印刷システムが実行するランダム製版巻き付けのテスト動作を説明する図である。
【発明を実施するための形態】
【００２１】
以下に本発明の実施形態について、図面を用いて詳細に説明する。
【００２２】
（実施形態１）
図１は本実施形態に係る孔版印刷システム１の構成を示している。孔版印刷システム１は、熱可塑性フィルムからなるマスタに熱穿孔プロセスを用いて潜像を形成し、潜像が形成されたマスタを、インキが充填された印刷ドラムに装填し、マスタが装填された印刷ドラムを回転させ、給紙された用紙と圧接させることにより、用紙に可視画像を形成する、いわゆる孔版印刷装置において、文書を製版・印刷した際、印刷終了後に、新たにマスタを不規則な製版パターンで製版し、印刷ドラムに装填するかどうか、の有効／無効を指定するランダム製版巻き付けモード指定手段２（タッチパネル１１５により実現する）と、最後（直近）に行われた製版・印刷された文書のマスタ上の画像サイズと位置を記憶しておく画像サイズ・位置記憶手段８（フラッシュＲＯＭ２１７により実現する）と、文書の製版・印刷が最後（直近）に行われた時点からの時間経過を計測する計時手段３(リアルタイムクロック：ＲＴＣ２０４により実現する)と、現在の印刷ドラムに巻装されているマスタがランダム製版巻き付けされたものか否かの状態を記憶しておく巻装マスタ情報保持手段９（フラッシュＲＯＭ２１７により実現する）と、を備える。
【００２３】
また、ランダム製版巻き付けモード指定手段２により、巻き付けを行う旨の設定がなされた場合には、ランダムパターンの種類やパターンの粗密、文書の製版・印刷が最後（直近）に行われた時点からどれ位の時間を経てから当該ランダム製版巻き付けを行うかなど、当該ランダム製版巻き付け処理に必要な各種パラメータを指定するランダム製版パラメータ指定手段５（タッチパネル１１５により実現する）と、ランダム製版巻き付けパラメータ指定手段５で指定されたパラメータに応じて、不規則な製版パターンを生成するランダムパターン生成手段６（孔版印刷装置の制御部２０により実現する）により処理される。
【００２４】
ランダム製版巻き付け処理は、ランダム製版巻き付けモード指定手段２とは別に設けられた、操作者の自由意志により、任意のタイミングに、手動により、新たにマスタを不規則な製版パターンで製版し、印刷ドラムに装填させる手動ランダム製版巻き付け操作手段７（操作部（操作パネル）１１１により実現する）と、ランダム製版巻き付けモード指定手段２により設定された値が、ランダム製版巻き付け処理を行う旨の設定（有効の設定）であった場合、計時手段３によって計時されている文書の製版・印刷が最後（直近）に行われた時点からの時間経過が、ランダム製版パラメータ指定手段５によって設定された巻き付け待機時間を超え、且つ、当該孔版印刷装置の印刷ドラムに巻装されているマスタが既にランダム製版巻き付けされたものでない時、ランダム製版パラメータ設定手段５で指定されたパラメータに従い、ランダムパターンを生成し、生成したランダムパターンで、画像サイズ・位置記憶手段８に記憶されているサイズと位置に対応した領域にマスタを製版する。
【００２５】
ランダムパターンを製版されたマスタを印刷ドラムに装填し、巻装マスタ情報保持手段９を更新処理するように制御し、更に、操作者の自由意志により、手動ランダム製版巻き付け操作手段７によって、当該ランダム製版巻き付け処理を行わせる旨の操作が行われた場合、当該ランダム製版巻き付け処理を行うように制御するする制御手段４（孔版印刷装置の制御部２０により実現する）から構成される。
【００２６】
図２は、孔版印刷システム１を構成する孔版印刷装置１００の基本構成である。孔版印刷装置１００は、装置本体の内部に、マスタ１０７が外周面に巻着される印刷ドラム１０１と、印圧手段となるプレスローラ１０２と、製版装置となるプロッタ１０３と、排版手段１０４とを備え、装置本体の右側に配置された給紙手段１０５から給紙される記録紙１０６をプレスローラ１０２で印刷ドラム１０１に押し当てることで、巻着されたマスタ１０７の画像を記録紙１０６に転写し、片面印刷の場合、画像転写された記録紙１０６を搬送手段１０８で装置本体の左側に配置された排紙手段１０９へと搬送し、両面印刷の場合、片面の印刷が終了した記録紙を、切替え部材１２１により再給紙手段１２２に導き、再び給紙させることにより裏面に印刷を行うような周知の構成をとる。
【００２７】
孔版印刷装置１００の上部には、画像読取手段となるカラースキャナ１１０が配置されていて、原稿画像を読み取り、製版に用いる画像データを取得している。装置本体の上部正面には、孔版印刷装置１００の操作部となる操作パネル１１１が配設されている。操作パネル１１１には、印刷や製版の切り替えキー１１３、スタートキー１１４、表示部となる１１５、初期設定／プリンタ設定キー１１６、印刷位置調整キー１１７、プリントスピード設定キー１１８などが配備されている。表示部１１５は、ＬＣＤのタッチパネルで構成されていて、その画面には、各種案内情報や各種操作画面が適宜表示され、操作画面が、ユーザあるいは装置操作者によって操作されると、各画面に表示されたスイッチに対応した内容が制御手段２０や孔版印刷装置１００に設定される。装置本体内には、孔版印刷装置１００の各部を制御する制御部２０が配設されている。
【００２８】
図３は孔版印刷装置１００の制御部２０のハードウェア（電装基板）構成の一例を示す概略図である。制御部２０は、図３に示すように、実装基板となるＡＣＵ２００(Application Control Unit)とＥＣＵ３００(Engine Control Unit)の二つに大きく分かれている。
【００２９】
ＡＣＵ２００は、孔版印刷装置１００の操作パネル（タッチパネル）１１１が接続される操作パネル用インターフェース２０５、携帯型大容量記憶メディアであるＳＤメモリーカード２０１やＵＳＢメモリ２０３などが接続されるインターフェース（ＳＤ  Ｉ／Ｆ  ２０６、ＵＳＢ  Ｉ／Ｆ  ２０９）、大容量記憶装置となるハードディスク(以下「ＨＤＤ」)２０７が接続されるインターフェース２０８、パソコンなどの情報端末に対し、ＬＡＮやインターネットなどのネットワークを介してアクセスするためのネットワークインターフェースカード（ＮＩＣ）２０２や無線ＬＡＮカードを接続するための通信インターフェース（ＮＩＣ  Ｉ／Ｆ  ２１２、無線ＬＡＮ  Ｉ／Ｆ  ２１４）に接続されている。
【００３０】
その他にも、無給電画像表示装置である電子ペーパー４００を接続するためのＩ／Ｏインターフェース２２１、ＦＡＸモジュールを接続するためのＦＡＸインターフェース２２２、ＥＣＵ３００側が接続されるＥＣＵインターフェース２１５と、中央演算回路となるＣＰＵ２１６、記憶手段となるＲＯＭ２１７とＲＡＭ２１８が、ＡＳＩＣ２２０(Application Specific Integrated Circuit)に接続されている。
【００３１】
ＡＣＵ２００は、孔版印刷装置１００の製版／蓄積の制御等を行い、スキャナあるいはネットワーク経由で転送されてくる文書を蓄積文書としてＨＤＤに蓄積したり、スキャナあるいはＨＤＤに蓄積された蓄積文書あるいはネットワーク経由で転送された文書データから、最終的に製版データを作成したのち、ＥＣＵ３００に転送するという働きを受け持ち、本装置の機能は、主にこのＡＣＵ２００に属する。
【００３２】
ＥＣＵ３００は、中央演算回路となるＣＰＵ３２１、記憶手段となるＲＡＭ３２２とＲＯＭ３２３、ＡＣＵ２００が有するＥＣＵインターフェース２１５と接続されるＡＣＵインターフェース３２４、スキャナ１１０が接続されるスキャナインターフェース３２６、プロッタ１０３が接続されるプロッタインターフェース３２８が、それぞれＡＳＩＣ３２９に接続されている。
【００３３】
ＥＣＵ３００は、ＡＣＵ２００により作成された製版データをもとに、プロッタ１０３により、周知の孔版原紙となるマスタの感熱孔版フィルム１１９に、熱的プロセスによって穿孔を行うことにより、製版済みのマスタ１０７を作成し、この製版済みのマスタ１０７を印刷ドラム１０１となる版胴の外周面に巻装し、ドラム内部に設置されたインキパック１２０から、インキを供給しながら印刷ドラム１０１を回転させ、それに呼応させるように記録紙（印刷用紙）１０６を給紙することにより印刷成果物（印刷物）を得るという一連のデジタル式の孔版印刷装置の製版から印刷に至る動作全般を制御するものである。なお、孔版印刷装置としては、片面印刷装置や両面印刷装置の何れであってもよいが、本実施形態では、両面印刷装置としている。
【００３４】
次に、孔版印刷システム１の自動ランダム製版巻き付けモードの設定やランダム製版パラメータの設定について、図４〜図６を使用して説明する。
【００３５】
これらの図は、孔版印刷装置１００の操作／表示用タッチパネル（以下、単に「操作パネル」、「タッチパネル」、「ＬＣＤ」などと呼称する）に表示される操作／表示画面の一例である。
【００３６】
図４は、図示しないタッチパネルメニューの「システム初期値設定」−「動作設定」項目の仮想キーを選択した時の画面を表している。ここにおいて、操作者は、孔版印刷装置１００の動作に関する設定を行うことができる。
【００３７】
なお、図４では、「ランダム製版巻き付け指定」−"ドットパターン"となっているが、これは後述する操作により設定された結果が表示されたものである。当該画面において、「ランダム製版巻き付け指定」項目の仮想キーを選択すると、タッチパネルには、更に図５に示すようなサブメニューが表示される。当該サブメニューにおいては、ランダム製版巻き付けモードの有無の指定や、巻き付けを行う場合、どのようなランダムパターンの生成を行うかなどの項目設定を行う。本実施形態では、生成できるランダムパターンの選択肢として、"ドットパターン"と"フォントパターン"の２種類を挙げており、その内、"ドットパターン"を選択した状況を示している。
【００３８】
また、当該サブメニューにおいては、最終の製版・印刷時から（シークレットモードを指定された場合、シークレットモード指定時から）、どれくらいの放置時間後に、自動的にランダム製版巻き付けを行うかの、「巻き付け待機時間」が、１２時間に指定されている。
【００３９】
更に、当該画面において、"ドットパターン"仮想キーを選択すると、更に図６に示されるサブメニューが表示される。このサブメニューにおいては、ランダム製版巻き付け用に生成するドットの粒度やどのようなランダムパターンを発生させるかの設定を行う。本実施形態では、生成するドットを、粒度を"粗"（粗く）、乱数発生アルゴリズムを"Ａ"(ＰＮ符号)に設定している。
【００４０】
なお、ドット粒度や乱数発生アルゴリズムの選択メニューにおいて、○○［ＤＰＩ］や△△［ｄｏｔ］、あるいは、ＰＮ符号やカオス乱数などといった、より具体的な指定や選択肢になっていないのは、多くの操作者にとって、その具体的な処理内容に興味や知識があるわけではなく、より大事なのは、大まかな目安や複数の選択肢が存在するということだからである。
【００４１】
また、本実施形態では、ランダムパターンとして"ドットパターン"、"フォントパターン"の二例を挙げており、また、ドットパターンの場合、ドット粒度や乱数発生アルゴリズムについても、図６に図示したものを挙げているが、これらの実施形態に限定されるものではない。
【００４２】
一方、本実施形態では、手動（マニュアル）でランダム製版巻き付けを行う場合も、ここで指定された製版パラメータが利用される。ちなみに、ランダム製版巻き付けを手動で行う場合、操作パネルの"・"キーと"製版"キーの同時押下によって発動される。
【００４３】
以上のような設定なされた場合の孔版印刷システム１の制御について、図７〜図９、図１３を使用して説明する。
【００４４】
操作者が、ある機密性を有する文書を製版・印刷し、その後、孔版印刷装置１００のタッチパネル上の図示しないメニューにおいて、"シークレット"仮想キーを選択すると、孔版印刷装置１００は、シークレットモードに入る。この状態では、機密性を有する文書を製版したマスタ１０７は、まだ印刷ドラム１０１に巻装されたままであるが、シークレットモードを指定されたため、追加印刷ができず（印刷ロック）、また、印刷ドラム１０１の引き出しができない（印刷ドラムロック）、等の処置が施されるため、これにより機密性が保たれる（図１３）。
【００４５】
一方、前述のように孔版印刷システム１には、ランダム製版巻き付け設定が、有効設定されており、シークレットモードに入った時点からの時間が計測されている。巻き付け待機時間以上の計時時間が経過すると、タイマ割込みが入り（図７、ステップＳ７０１）、これにより制御部２０は、当該孔版印刷装置１００の印刷ドラム１０１に巻装されている巻装マスタ情報を参照する(ステップＳ７０２)。
【００４６】
もし、現在巻装されているマスタ１０７がランダム製版マスタであれば(ステップＳ７０３／ＹＥＳ)、何もしないが、そうでなければ(ステップＳ７０３／ＮＯ)、更に、ランダムパターンのパラメータを参照し(ステップＳ７０４)、更に直近に製版・印刷されたマスタ１０７上の画像サイズと位置を参照し(ステップＳ７０５)、それらの参照情報から、必要とされるランダムビット列数を算出し、算出された数だけのビット列を生成し(ステップＳ７０６)、生成されたビット列を実際の製版画素にマッピングし(ステップＳ７０７)、直近で製版されたマスタ１０７上の位置と製版サイズに対応して製版を行う(ステップＳ７０８、図８、図９)。
【００４７】
より詳しくは、直近の製版・印刷文書の画像がＡ４サイズであった場合、単純計算では、画像サイズと製版解像度から算出されるドット数分のビット列を生成することになる。しかしながら、前述のパラメータ指定において、ドット粒度が指定されているので、これも反映しなければならない。
【００４８】
本実施形態では、ドット粒度の実現に解像度変換を使用している。即ち、ドット粒度の指定に応じて、主走査方向及び副走査方向のいくつかの画素のまとまりを1単位とし、そのひとまとまりに対してランダムビット列の1ビットを対応させるようにしている。
【００４９】
このように複数のドット粒度を用意する理由は、直近の製版・印刷文書の文字や図柄とドット粒度の関係を一律に規定できないためである。即ち、ドット粒度を細かくすれば、残像として現れる文書の文字や図柄の判読性が落ちるとは必ずしも言えないためである。これは、ドット粒度が細かすぎると、ランダムパターンが背景化してしまい、まとまった画素をひとかたまりでとらえ、その中から意味のあるものを認識しようとする人間の視覚特性により、かえって残像の文字や図柄を浮き立たせてしまうことがあるためである。
【００５０】
ちなみに、ハッチング（斜線）などは、ドットパターンの一種とみなせるが、これはランダムなパターンではなく、規則性をもったパターンであり、このような規則性のパターンの場合も、規則性を持ったものを背景化させてしまい、背景との差分情報から意味のあるものを認識しようとする人間の視覚特性により、やはり意図したように判読性を落とすことができないことがある。
【００５１】
図８にランダム製版パターンを示す。本実施形態では、ドット粒度"粗"の指定を、５６×５６画素のかたまりを１つの画素とみなして扱うことによって実現している。また、参考までに図９に、ドット粒度"中"と指定した場合のランダム製版パターン例を示す。
【００５２】
なお、本実施形態では、主走査方向と副走査方向について、同数の画素をひとかたまりとしており、結果としてひとかたまりの形が正方形となっているが、必ずしも同数とする必要はなく、また、ひとまとまりとみなす画素数も、本実施形態に限定されるものではない。
【００５３】
さらに制御部２０は、このようにして製版されたマスタ１０７を印刷ドラム１０１に巻装し（図７、ステップＳ７０９）、巻装マスタ情報を、ランダム製版マスタである旨に更新する(ステップＳ７１０)。これは、さらに次の巻き付け経過時間が経過した場合に、もしくは、手動でランダム製版巻き付け操作を行った場合に、既にランダム製版マスタが巻装されているにもかかわらず、再び無駄なランダム製版巻き付けがなされないようにするためである。
【００５４】
加えて、現在の孔版印刷装置１００の設定が、シークレットモードでなかった場合は何もしないが(ステップＳ７１１／ＮＯ)、シークレットモードであった場合は(ステップＳ７１１／ＹＥＳ)、当該シークレットモードを解除する(ステップＳ７１２)。これは、印刷ドラムロックや印刷ロックが解除されることを意味する。
【００５５】
なお、本実施形態では、ランダムパターンの製版を行う領域は、直近の文書の画像サイズとしているが、製版可能領域全般にわたるような制御も考えられる。しかしながら、そもそもランダム製版巻き付け自体は残像を消去するものではなく、あくまで機密情報を隠蔽するための外乱を加えて、意味のある情報として認識しにくいようにしているのにすぎないため、製版可能領域全体にわたるランダムパターンにすると、本来画像の存在しなかったところに、ランダムパターンを生成してしまい、これが新たな残像源となってしまうため、画像品質の面からは望ましくない。
【００５６】
一方、操作者により、手動でランダム巻き付け処理を行った場合、同様にＳ７０３〜Ｓ７１２のステップが行われ、もし、当該印刷ドラム１０１に既にランダム製版巻き付けが行われている場合、図示しないその旨の警告表示がなされるが、"強行実行"仮想キーの選択も可能となっている。
【００５７】
更に、もし巻き付け待機時間経過時において、孔版印刷装置１００本体の電源がオフで、且つ、当該印刷ドラム１０１に既にランダム製版巻き付けが行われていない場合は、電源オン時の装置立ち上げ時においてランダム製版巻き付け処理を行った後、待機（レディ）状態となる。
【００５８】
ここで、当該ランダム製版巻き付けによって、残像が抑制される仕組みについて図１０〜図１２を使用して説明する。
【００５９】
図１０〜図１２は、印刷ドラム１０１の半径方向の断面を示したものである。当該孔版印刷装置１００に供されるインキは、水相成分と油相成分を攪拌混合した、いわゆるエマルジョンインキというものが使用されている。インキパック１２０から印刷ドラム１０１内に供給されたインキは、版胴のスクリーン（メッシュ）、マスタ穿孔部を経由して、最終的に用紙に付着し、印刷画像を形成する。
【００６０】
ここにおいて、穿孔部（画像部）のインキは、印刷により消費され、常に新しいインキが供給されるが、未穿孔部（非画像部）のインキは、消費されず残留したままになるが、この状態では、インキが常に攪拌されているため、印刷ドラム１０１からの多少の水相成分の蒸発があっても、それほど組成分布に差が出てくるわけではない。
【００６１】
しかしながら、印刷が終了しそのまま放置されると、画像部のインキは、穿孔部から水相成分がどんどん蒸発していき、油相成分が多い組成（図１０  Ａ塊）となる。油相成分の多い組成のインキは、粘度が低く、流動性が高いため、いわゆる"インキが緩んだ"と呼ばれる状態となる。
【００６２】
一方、非画像部のインキは、水相成分の蒸発が比較的少ないため、画像部のインキに比して、相対的に水相成分が多い組成（図１０  Ｂ塊）となっている。このため、Ｂ塊は、Ａ塊に対して相対的に粘度が高く、流動性が低いものとなっている。このようにして、インキの組成が異なる部分が、画像に倣って分布するようになる。このインキの組成分布が、残像の直接的要因となっている。
【００６３】
この状態から、次の新しい文書の製版・印刷がなされると（図１１）、マスタ１０７内に分布していたインキの組成分布は、マスタ１０７の排版とともに解消されるが、メッシュや印刷ドラム１０１内には、まだそのインキ組成分布が残存している。このため、新たな穿孔部で旧穿孔部と重なる部分のインキは、新たな穿孔部で旧非穿孔部のインキと比較して、流動性が高くなっているため、相対的により多くインキが通過する。
【００６４】
このため、印刷された画像として見た場合、以前に製版・印刷された画像部分が色濃く出てしまい、いわゆる残像現象として認識されることになる。この残像が、機密性を有するもので、且つ、読取り可能なレベルで表出した場合、意図せずに第三者の知るところとなる。この残像現象は、印刷枚数が進むと、インキドラム内やメッシュ内でのインキの攪拌・拡散により、図１０で形成されていたＡ塊、Ｂ塊の境界（バウンダリ）がやがて崩れていき、組成分布も解消されていくので、残像が次第に消失していくこととなる。
【００６５】
さて、ここで図１０の状態から、ランダム製版巻き付けが行われた場合、図１２に示されるような状態になる。この場合、ランダム製版パターンで形成された画像が、直近の残像の原因となっているインキ組成分布にノイズ（外乱成分）として重畳される。従って、次の文書の製版・印刷においては、機密性を有する残像がランダムパターンに埋もれるため、結果として、機密情報の判読性が落ち、機密情報が、第三者に露出される可能性が抑えられることになる。
【００６６】
（実施形態２）
次に、実施形態２について説明する。なお、上記実施形態と同一または同様の部分は同一符号で示し、特に必要がない限り既に説明した構成上及び機能上の説明は省略して、要部のみ説明する（以下の実施形態３〜５において同じ）。
【００６７】
本実施形態の孔版印刷システム１の構成は、実施形態１とほとんど同じであるが、ランダムパターンを、孔版印刷装置１００の内蔵フォント、あるいは、オプションのPost Scriptモジュールなどが増設されている場合、それに付帯して搭載されているフォント、あるいは、通信モジュールを介し、インターネットなどのネットワークからダウンロードしたフォント、により行うことが異なる。
【００６８】
孔版印刷システム１のランダム製版パラメータの設定について、図１４〜図１５を使用して説明する。
【００６９】
図１４は、図５に示される「ランダム製版巻き付け指定」メニューにおいて、"フォントパターン"仮想キーを選択した場合に表示される、サブメニューの最初のページである。当該サブメニューでは、ランダムパターン用に生成する文字フォントのポイント数やフォント名、フォントの配置（向き）などを指定する。本実施形態では、生成する文字フォントのポイント数を"１０"ポイント、回転を"正立"（回転しない）に設定している。
【００７０】
図１５はサブメニューの次のページであるが、当該サブメニューではフォント名を"Arial Bold"に設定している。
【００７１】
なお、本実施形態では、回転では、９０度ごとの指定、文字フォントの例として"Arial Bold"、"Helvetica Bold"、"Times Bold"等の例が表示されているが、これらの実施形態に限定されるものではない。さらに、本実施形態では、塗り潰し面積が適度に広くかつ適度に分散しているアルファベットの大文字のボールド体を採用しており、これをページメモリ上に展開しているが、これらの大／小文字や書体の種類に限定されるものでもない。
【００７２】
以上のような設定なされた場合の孔版印刷システム１の制御について、図１６〜図１８を使用して説明する。なお、当該孔版印刷装置１００には、機密性文書の製版・印刷に際し、機密の漏洩を防止するため、追加印刷ができない（印刷ロック）、印刷ドラムの引き出しができない（印刷ドラムロック）、排版ボックスの取り出しができない（排版ボックスロック）、等の処置がなされている、いわゆるセキュリティモードが設定されているものとする（図１３）。ちなみに、このセキュリティモードは、前述のシークレットモードと異なり、適当な認証を経てからの設定解除を指定する以外に解除する方法がない。
【００７３】
前述のように孔版印刷システム１には、ランダム製版巻き付け設定が、有効設定されており、直近（最後）の製版・印刷が終了した時点からの時間が計測されている。計時時間が、巻き付け待機時間を経過すると、タイマ割込みが入り(図１６、ステップＳ１６０１）、これにより制御部２０は、当該孔版印刷装置１００の印刷ドラム１０１に巻装されているマスタ情報を参照する（ステップＳ１６０２)。
【００７４】
もし、現在巻装されているマスタ１０７がランダム製版マスタであれば（ステップＳ１６０３／ＹＥＳ）、何もしないが、そうでなければ（ステップＳ１６０３／ＮＯ）、更に、ランダムパターンのパラメータを参照し（ステップＳ１６０４）、更に直近に製版・印刷されたマスタ１０７上の画像サイズと位置を参照する（ステップＳ１６０５）。
【００７５】
それらの参照情報から、必要とされるランダムフォント列数を算出し、算出された数だけのフォント列を生成し（ステップＳ１６０６）、生成されたフォント列を実際の製版画素にマッピングし（ステップＳ１６０７）、直近で製版されたマスタ１０７上の位置と製版サイズに対応して製版を行う（ステップＳ１６０８、図１７、図１８）。
【００７６】
より詳しくは、直近の製版・印刷文書の画像がＡ４サイズであった場合、画像サイズと製版解像度から算出されるドット数分のフォント列を生成することになる。しかしながら、前述のパラメータ指定において、ポイント数（文字の大きさ）や回転の有無が指定されているので、これらも加味して反映しなければならない。
【００７７】
図１７に、ランダム製版パターンの例を示す。本実施例では、１０ポイントのアルファベットの大文字のみをアルファベット順に羅列して使用しているが、小文字のみ、または、大文字・小文字の混在、あるいはランダムな出現順による羅列によってもよい。また、図１８には、ランダムパターンとして漢字フォント（"平成角ゴシック"）を使用し、漢字フォントの登録順にフォントアドレスをスキャンして、羅列出力させた時の、ランダム製版パターンの例を示す。
【００７８】
このようにして製版されたマスタ１０７を印刷ドラム１０１に巻装し(図１６、ステップＳ１６０９)、巻装マスタ情報を、ランダム製版マスタである旨に更新する（ステップＳ１６１０）。これは、さらに次の巻き付け経過時間が経過した場合、もしくは、手動でランダム製版巻き付け操作を行った場合、既にランダム製版マスタが巻装されているにもかかわらず、再び無駄なランダム製版巻き付けがなされないようにするためである。
【００７９】
更に、現在の孔版印刷装置１００がセキュリティモードでなかった場合はなにもしないが（ステップＳ１６１１／ＮＯ）、セキュリティモードであった場合は（ステップＳ１６１１／ＹＥＳ）、印刷ドラムロック及び印刷ロックを解除する（ステップＳ１６１２）。但し、当然のことながら、排版ボックスロックは解除されない。
【００８０】
このように印刷ロックや印刷ドラムロックを解除するメリットは、セキュリティモード中に、メンテナンスを行うため、印刷ドラム１０１を引き出して確認をしたい場合や、インキの出具合を印刷によってチェックしたい場合、など、一時的にセキュリティモードを解除することが必要となった場合に、いちいち認証経由でセキュリティモードを解除・再設定する手間が不要になることである。
【００８１】
当然のことながら、ランダム製版パターンが巻装された印刷ドラム１０１を引き出せても、当該印刷ドラム１０１で印刷しても、セキュリティ上問題となることはなく、次の文書の製版・印刷により、再び自動的にセキュリティモードに復帰する。
【００８２】
なお、操作者により、手動でランダム巻き付け処理を行った場合、同様に（Ｓ１６０３〜Ｓ１６１２）のステップが行われ、もし、当該印刷ドラム１０１に既にランダム製版巻き付けが行われている場合、図示しないその旨の警告表示がなされるが、"強行実行"仮想キーの選択も可能となっている。
【００８３】
また、実施形態１及び実施形態２では、シークレットモード、セキュリティモード以外のいわゆる通常モードでも、ランダム製版巻き付けを実施しているが、通常モードでは行わないような制御としてもよい。そのような制御は、オフィスなどのように、利用者がほぼ限定されるような場合に向いていると思われる。
【００８４】
しかしながら、例えば、コンビニエンスストアなどに設置された孔版印刷装置のような場合、不特定の利用者が製版・印刷するようなシチュエーションでは、次の利用者に、いかに機密性のない文書であったとしても、自分の製版・印刷した文書を、残像という形にせよ見られる可能性があるというのは、心地のよいものとはいえない。そのような場合、本実施形態のような制御が適当と思われる。
【００８５】
更に、実施形態1および実施形態２では、巻き付け待機時間は、操作者の任意時間指定で設定されることとなっているが、予め定められた固定時間あるいは予め定められたデフォルト時間が設定されていてもよい。または、インキパックに当該インキの成分データや特性データなどのインキ情報を収めたＲＦＩＤが付与されているような孔版印刷装置の場合、インキ情報を読取り、その結果から適切な巻き付け待機時間を算出し、設定するような仕組みのものであってもよい。
【００８６】
（実施形態３）
次に、実施形態３について説明する。図１９に示すように、本実施形態の孔版印刷システム１は、実施形態１で示したものに、更に、最後（直近）に行われた製版・印刷された文書の種類もしくはその最終ページの大勢を占める文書要素を自動判別し記憶しておき、その自動判別された結果は、操作者等に閲覧可能であるとともに、手動で当該文書要素の指定や修正が可能である文書要素判別・記憶手段１０（ＩＰＰ：イメージプリプロセッサ３２５とタッチパネル１１５により実現する）と、判別された文書種類とランダム製版巻き付けで付与されるランダムパターンとの対応付けを予め行う。
【００８７】
また、予め定められた対応付け（対応表）は、操作者が閲覧可能であるとともに、手動で当該対応表の内容の指定や修正が可能である文書要素ランダムパターン対応手段１１（タッチパネル１１５により実現する）と、ランダム製版巻き付け処理に供されるランダムパターンは、当該巻き付け処理直前に製版・印刷された文書（最終ページ）の種類もしくはその最終ページの大勢を占める文書要素に対応して、文書種類が文字文書なら文字パターンで、文書種類が写真ならドットパターンで、などというように、文書種類もしくは大勢を占める文書要素に対して、予め適当に定められた対応表からランダムパターンを選択し適用するように制御する制御手段４（孔版印刷装置１００の制御部２０により実現する）と、を加えたものから構成されている。
【００８８】
本実施形態の、ランダム製版巻き付けモード指定手段、ランダム製版パラメータ指定手段、文書要素ランダムパターン対応手段を、タッチパネル上にメニュー画面として具現化した例を図２０〜図２２に示す。ここでは、項目「ランダム製版巻き付け指定」−"する"を選択している。また、項目「文書種類判別」−"自動判別"を選択しており、これは、これから製版・印刷を行う文書の文書要素が何で占められているかを自動で判別させることを示している。
【００８９】
例えば、文書をスキャナで読取った際には、ＩＰＰにより像域分離処理がなされるが、この時の情報をもとに当該文書の主要となる文書要素が何であるかを判別する。また、もし文書が、ネットワーク経由で送受信されるような場合、文書種類判別は、ＰＤＬ（ページ記述言語）を解析することにより、当該文書の主要となる文書要素が何であるかを判別する。本実施形態では、以後、文書をスキャナで読取る場合を想定して、説明を進める。ちなみに、"手動指定"を選択した場合、図示しないサブメニューが表示され、そこにおいて、操作者が直接、主要な文書要素を指定することになる。
【００９０】
一方、項目「ランダムパターン指定」は"手動指定"を選択されており、これは、文書要素とランダムパターンの対応付けを手動で行うことを示している。この場合、図２２に示されるようなサブメニューが開かれるので、操作者は、そこで、個々の対応付けを直接指定する。ちなみに、"自動割付"を選択した場合、孔版印刷装置１００内で予め設定登録されている対応表に従い、ランダムパターンが生成される。
【００９１】
本実施形態では、文書種類の、「文字(和文)」、「文字(英文)」等に対し、ランダムパターンとして、"平成角ゴシック：１０ｐ:正立"、"Arial Bold：１０ｐ:正立"等を指定している。尚、「線画・図形」で"メイキャップパターン:粗:正立"を指定しているが、メイキャップパターンというのは、いわゆるメイキャップ機能で使用される画像パターンである。
【００９２】
詳しくは、メイキャップ機能とは、コマンドシートと呼ばれる文書と同サイズの領域（エリア）指定用紙に、マーカペンにより閉曲線などによって文書に対応したエリア（領域）を書込み、文書の読込みに先立って、当該コマンドシートを読込み、指定されたエリア内もしくは指定されたエリア外に対して、特定の画像処理や背景パターン処理、抹消処理などを行う、簡易原稿編集機能である。
【００９３】
背景パターン処理は、孔版印刷装置１００内に予め格納されている数十種類のパターン（図２３）から、任意のパターンを指定し、当該指定されたパターンを指定されたエリアに入れ込むものであり、主に、指定エリアの強調や装飾を目的に行われる。
【００９４】
本実施形態では、このメイキャップ機能で用いられるメイキャップパターンを、ランダム製版巻き付けに応用したものであり、メイキャップパターンの格納順、もしくは、ランダムに選出した順番に則って呼び出し、ランダムパターンとして生成している。
【００９５】
以上のような設定なされた場合の孔版印刷システム１の制御について、図２４、図２５を使用して説明する。
【００９６】
前述のように孔版印刷システム１には、ランダム製版巻き付け設定が、有効設定されており、直近の（最後の）製版・印刷が終了した時点からの時間が計測されている。また、その時の文書種類についても、既にＩＰＰからの情報をもとに判別され、データ記憶されているものとする。
【００９７】
巻き付け待機時間が経過するとタイマ割込みが入り(図２４、ステップＳ２４０１)、これにより制御部２０は、当該孔版印刷装置１００の印刷ドラム１０１に巻装されているマスタ情報を参照する（ステップＳ２４０２）。もし、現在巻装されているマスタ１０７がランダム製版マスタであれば（ステップＳ２４０３／ＹＥＳ）、何もしないが、そうでなければ（ステップＳ２４０３／ＮＯ）、更に、直近の文書種類のデータを参照する（ステップＳ２４０４）。そして、参照した文書種類に対応したランダムパターンを対応表から探し出し、更に、該当するランダムパターンのパラメータを参照する（ステップＳ２４０５）。
【００９８】
また、直近に製版・印刷された上のマスタ画像サイズと位置も参照し（ステップＳ２４０６）、それらの参照情報から、必要とされるランダムパターン量を算出する。そして、算出された量だけのランダムパターンを生成し（ステップＳ２４０７）、生成されたランダムパターンを実際の製版画素にマッピングし（ステップＳ２４０８）、直近で製版されたマスタ１０７上の位置と製版サイズに対応して製版を行う（ステップＳ２４０９、図２５）。
【００９９】
図２５に、文書種類とランダム製版パターンの例を示す。（Ａ）は、文書の種類が文字（和文）であった時の、（Ｂ）は、文書の種類が文字（英文）であった時の、（Ｃ）は、文書の種類が写真・イメージであった時の例である。
【０１００】
このようにして製版されたマスタ１０７を印刷ドラム１０１に巻装し(図２４、ステップＳ２４１０)、巻装マスタ情報を、ランダム製版マスタである旨に更新する（ステップＳ２４１１）。更に、現在の孔版印刷装置１が、シークレットモードであった場合（ステップＳ２４１２／ＹＥＳ）、シークレットモードを解除する（ステップＳ２４１３）。シークレットモードではなく（ステップＳ２４１２／ＮＯ）、セキュリティモードであった場合（ステップＳ２４１４／ＹＥＳ）、印刷ドラムロック及び印刷ロックを解除する（ステップＳ２４１５）。
【０１０１】
このように、文書の大勢を占める文書要素に対応したランダムパターンを適用することにより、機密性を有する文書の主要な部分が、類似した種類のランダムパターンによりかく乱されるため、残像として表出する機密情報の判読性を低下させ、機密の漏洩を抑止することができる。
【０１０２】
（実施形態４）
次に、実施形態４について説明する。本実施形態の孔版印刷システム１は、基本的には、実施形態３(図１９)に示すものと同じである。
【０１０３】
即ち、当該巻き付け処理直前に製版・印刷された文書（最終ページ）の文書要素及びその文書要素が占める領域・位置を判別し記憶しておく文書要素判別・記憶手段１０（ＩＰＰ：イメージプリプロセッサ３２５とタッチパネル１１５により実現する）と、判別された文書要素とランダム製版巻き付けで付与されるランダムパターンとの対応付けを予め行う文書要素ランダムパターン対応手段１１（タッチパネル１１５により実現する）と、ランダム製版巻き付け処理に供されるランダムパターンは、当該巻き付け処理直前に製版・印刷された文書（最終ページ）の文書要素及びその文書要素が占める領域とその位置に個別に対応して、文書要素が文字の領域には文字パターンで、文書要素が写真の領域にはドットパターンで、などというように、各文書要素に対して、予め適当に定められた対応表からランダムパターンを個別に選択し、適用するように制御する制御手段４（孔版印刷装置の制御部２０により実現する）と、から構成されている。
【０１０４】
実施形態３と異なるのは、実施形態３が、文書（最終ページ）全体の文書種類を、その文書内で大勢を占める文書要素によって代表させ、その代表された文書要素に対応したランダムパターンを、その文書全体に一律で施しているのに対し、本実施形態は、文書（最終ページ）の個別の文書要素毎の領域・位置に、文書要素に対応したランダムパターンを個別に施す点である。
【０１０５】
もともとＩＰＰは、像域分離の際に、文書要素毎にクラスタリングした情報を生成・保持している。このため、実施形態３では、それらの情報から大勢を占める文書要素を決定するという処理が必要であったが、本実施形態では、それらの情報を文書要素の領域・位置情報としてそのまま直接利用できる。
【０１０６】
図２６にフローチャート図にて示すが、これは、実施形態３(図２４)に示した文書種類に対応したランダムパターンの生成処理部分が、文書要素毎に対応したランダムパターンの生成処理行うようにループ処理となっているだけであるので、詳しい説明は省略する。
【０１０７】
図２７に、文書要素毎にランダムパターンを対応させた例を示す。本実施形態では、ページ上左部分が和文文字領域、ページ上右部分が線画・図形、ページ下半分が写真・イメージ領域、と判別され、それぞれの領域に対し、漢字フォントパターン、メイキャップパターン、ランダムドットパターンがそれぞれ適用された例を示している。
【０１０８】
このように、文書要素に対応したランダムパターンをきめ細かく適用することにより、機密性を有する文書の主要な部分が、類似した種類のランダムパターンによりかく乱されるため、残像として表出する機密情報の判読性を低下させ、機密の漏洩を抑止することができる。
【０１０９】
なお、このような文書要素毎のランダムパターンの適用は、メイキャップ機能を応用して、個別の領域・位置とそれに対応するメイキャップパターンを指定する方法によって実現することも考えられる。この場合、実際の文書に即した指定が可能であるため、正確な指定が可能であるものの、そのような指定作業は、操作者に過大な負担を強いることになるため、やはり文書要素判別に多少の過誤が発生したとしても、ＩＰＰによる自動判別を採用した方が、省力的であり、実際的でもある。
【０１１０】
（実施形態５）
次に、実施形態５について説明する。図２８に示すように、本実施形態の孔版印刷システム１は、実施形態３で示したものに、更に、実際にランダム製版巻き付けを行うことなく、事前にランダム製版巻き付けに処されるランダム製版パターンの確認を行うかどうかを指定するランダム製版巻き付けテスト手段１２（タッチパネル１１５により実現する）と、当該孔版印刷装置１００に搭載され、メニューのみならず画像の表示も可能な表示装置、あるいは、当該孔版印刷装置１００と画像データや制御情報のやり取りを行い、無給電で表示画像を保持できる無給電画像表示装置などの画像表示手段１３（電子ペーパー４００により実現する）と、ランダム製版巻き付けテスト手段１２によって、テスト実施する旨の指定がなされた時、テスト用の文書を原稿読取装置などで読取り、読取った文書種類もしくは文書要素に対応したランダム製版パターンを生成し、当該ランダム製版パターン、もしくは、当該ランダム製版パターンとテスト用文書画像を重畳した画像イメージ、を画像表示手段１３により表示させ、操作者にランダム製版巻き付けの動作や効果を事前に知らしめたり、確認させたりするように制御する制御手段４（孔版印刷装置１００の制御部２０により実現する）と、を加えたものから構成されている。
【０１１１】
図２９に、ランダム製版巻き付けテスト手段１２を、タッチパネル上にメニュー画面として具現化した例を示す。ここでは、「テスト動作」仮想キーがそれに該当する。なお、ランダムパターン生成に必要なパラメータは、例えば図２２に示すように、予め設定済みであるとする。
【０１１２】
操作者により、「テスト動作」仮想キーが押下されると(図３０、ステップＳ３００１、以下同様)、制御部２０は、当該孔版印刷装置１００のタッチパネル上に、テスト用文書を原稿台もしくはＡＤＦ（自動原稿送り装置）にセットするよう、図示しないメッセージを表示する（ステップＳ３００２）。
【０１１３】
操作者によって、テスト用文書がセットされ、セット完了の旨の操作が行われると（ステップＳ３００３）、当該テスト用文書の読み込みが開始され（ステップＳ３００４）、更に、ＩＰＰにより、文書要素やそのサイズ、その位置の抽出が行われる（ステップＳ３００５）。
【０１１４】
制御部２０は、抽出された文書種類のデータを参照し（ステップＳ３００６）、文書種類に対応したランダムパターンを対応表から探し出し、更に、該当するランダムパターンのパラメータを参照する（ステップＳ３００７）。
【０１１５】
更に、テスト用文書の文書要素のサイズと位置も参照し（ステップＳ３００８）、それらの参照情報から、必要とされるランダムパターン量を算出する。そして、算出された量だけのランダムパターンを生成し（ステップＳ３００９）、生成されたランダムパターンを製版画素にマッピングする（ステップＳ３０１０）。
【０１１６】
以上のランダムパターンの生成処理を、すべての文書要素について行い、それが完了していなければ（ステップＳ３０１１／ＹＥＳ）、未処理文書要素毎に対応したランダムパターンの生成処理行うようにループ処理がされる。全文書要素の処理が完了し、未処理文書要素が無ければ（ステップＳ３０１１／ＮＯ）、読込んだテスト用文書のオリジナルの画像データと生成したランダム製版パターンを重畳する（ステップＳ３０１２）。これらの処理が終了すると、制御部２０は、孔版印刷装置１００の外装と一体化して設けられた電子ペーパーへデータ転送を行い、画像表示データを表示させる（ステップＳ３０１３、図３１)。
【０１１７】
なお、本実施形態では、ランダムパターンの生成具合だけでなく、テスト用文書に対しランダムパターンがどの程度のマスキング効果を持っているかも確認できるため、テスト用文書のオリジナルの画像データと生成したランダム製版パターンを重畳させたものを表示させているが、ランダム製版パターンのみの表示としてもよい。当然のことながら、画像データ表示で重畳したイメージを表示させたとしても、実際にマスタに製版されるのは、ランダム製版パターンのみであることは、いうまでもない。
【０１１８】
また、当該孔版印刷システム１で利用できる電子ペーパーは、前述の孔版印刷装置１００の外装と一体化して設けられた電子ペーパーと、無線ＬＡＮなどを経由して自由に持ち運びできる携帯型電子ペーパーの２つがある。しかし、当該孔版印刷システム１では、ランダム製版巻き付けモード時のテスト表示のみならず、セキュリティモード時の校正チェック表示（従来の紙による校正刷りによるチェックのかわりに電子ペーパー出力で校正チェックするもの）においては、特定のデバイスＩＤ（非携帯型）、かつ、特定の機能（時限消去機能）を持つ電子ペーパー、にしか出力しないように制限をかけている。
【０１１９】
即ち、出力される情報（画像）ごとに、出力できる電子ペーパーが決められている。本実施形態では、外装一体型の電子ペーパーがそれに該当する。これは、機密性を有する画像データを表示させた携帯型電子ペーパーを自由に持ち歩いたり、放置されたりすることによる、機密の漏洩の確率を減少させるためである。更に、本実施形態のように、外装一体型の電子ペーパーに表示させた場合でも、規定の表示時間制限を超えて表示しているような場合、自動的に非表示にしたり、別の画像に切替えたりするような処置を、同様の目的から行っている。
【０１２０】
上述した実施形態は以下のようにすることもできる。
【０１２１】
熱可塑性フイルムからなるマスタ１０７に熱穿孔プロセスを用いて潜像を形成し、潜像が形成されたマスタ１０７を、インキが充填された印刷ドラム１０１に装填し、マスタ１０７が装填された印刷ドラム１０１を回転させ、給紙された用紙と圧接させることにより、用紙に可視画像を形成するいわゆる孔版印刷装置１００における実施形態について例示する。
【０１２２】
上記実施形態の孔版印刷システム１は、文書を製版・印刷した際、印刷終了後に、新たにマスタ１０７を不規則な製版パターンで製版し、印刷ドラム１０１に装填するかどうか、の有効/無効を指定するランダム製版巻き付けモード指定手段２と、最後に（直近に）行われた製版・印刷された文書のマスタ上の画像サイズと位置を記憶しておく画像サイズ・位置記憶手段と、文書の製版・印刷が最後に（直近に）行われた時点からの時間経過を計測する計時手段３と、現在の印刷ドラム１０１に巻装されているマスタ１０７がランダム製版巻き付けされたものか否かの状態を記憶しておく巻装マスタ情報保持手段９と、ランダム製版巻き付けモード指定手段２により、巻き付けを行う旨の設定がなされた場合、ランダムパターンの種類やパターンの粗密、文書の製版・印刷が最後に行われた時点からどれくらいの時間を経てから当該ランダム製版巻き付けを行うかなど、当該ランダム製版巻き付け処理に必要な各種パラメータを指定するランダム製版パラメータ指定手段５と、ランダム製版巻き付けパラメータ指定手段５で指定されたパラメータに応じて、不規則な製版パターンを生成するランダムパターン生成手段６と、を有している。
【０１２３】
ランダム製版巻き付けモード指定手段２により設定されたモードが、ランダム製版巻き付け処理を行う旨の設定（有効の設定）であった場合、計時手段３によって計時されている文書の製版・印刷が最後に（直近に）行われた時点からの時間経過が、ランダム製版パラメータ指定手段５によって設定された巻き付け待機時間を超え、且つ、当該孔版印刷装置１００の印刷ドラム１０１に巻装されているマスタ１０７が既にランダム製版巻き付けされたものでない時、ランダム製版パラメータ指定手段５で指定されたパラメータに従い、ランダムパターンを生成し、生成したランダムパターンで、画像サイズ・位置記憶手段に記憶されているサイズと位置にマスタ１０７を製版し、ランダムパターンを製版されたマスタ１０７を印刷ドラム１０１に装填し、巻装マスタ情報保持手段９を更新処理するように制御する制御手段４と、を有しているので、機密性を有する文書が製版・印刷され、長期間放置された状態であっても、残像現象による機密の漏洩を抑止することができる。
【０１２４】
本実施形態の孔版印刷システム１は、ランダム製版巻き付け処理は、ランダム製版巻き付けモード指定手段２とは別に設けられた、操作者の自由意志により、任意のタイミングに、手動により、新たにマスタ１０７を不規則な製版パターンで製版し、印刷ドラム１０１に装填させる手動ランダム製版巻き付け操作手段７と、操作者の自由意志により、手動ランダム製版巻き付け操作手段７によって、当該ランダム製版巻き付け処理を行わせる旨の操作が行われた場合、当該ランダム製版巻き付け処理を行うように制御する制御手段４と、を有しているので、必要に応じ、任意のタイミングでランダム製版巻き付け処理を行うことができる。
【０１２５】
本実施形態の孔版印刷システム１は、機密性を有する文書の製版・印刷がなされ、その後、操作者により、当該印刷ドラム１０１を当該孔版印刷機１００から引き抜けなくし（印刷ドラムロック）、且つ、追加の印刷をできなくする（印刷ロック）ことによって印刷ドラム１０１に巻装されている製版マスタ１０７の露出や追加印刷による機密の漏洩を防ぐ、いわゆるシークレットモードが設定された場合であって、且つ、自動ランダム製版巻き付けモードも同時に有効に指定されている場合に、当該機密性文書の製版・印刷終了から巻き付け待機時間が経過した時、所定のランダム製版巻き付け処理を行った後、当該孔版印刷装置１００に設定されているシークレットモードを解除するように制御する制御手段４、を有しているので、シークレットモードのような他の機密性を保持する機能との効率的で有機的な連携を行うことができる。
【０１２６】
本実施形態の孔版印刷システム１は、機密性を有する文書の製版・印刷に伴う機密の漏洩を防ぐために、シークレットモードで規制されている制限機能に加え、更に排版ボックスを当該孔版印刷機１００から引き抜けなくする（排版ボックスロック）ことによって製版マスタのスキャベジングによる機密の漏洩を防ぐ、いわゆるセキュリティモードが設定されている場合であって、且つ、自動ランダム製版巻き付けモードも同時に有効に指定されている場合に、当該機密性文書の製版・印刷終了から巻き付け待機時間が経過した時、所定のランダム製版巻き付け処理が行った後、当該孔版印刷装置１００で設定されているセキュリティモードの制限機能の一部である印刷ドラムロックと印刷ロックを一時的に解除するように制御する制御手段４、を有しているので、セキュリティモードのような他の機密性を保持する機能との効率的で有機的な連携を行うことができる。
【０１２７】
本実施形態の孔版印刷システム１は、機密性を有する文書の製版・印刷に伴う機密の漏洩を防ぐために、シークレットモードで規制されている制限機能に加え、更に排版ボックスを当該孔版印刷機１００から引き抜けなくする（排版ボックスロック）ことによって製版マスタ１０７のスキャベジングによる機密の漏洩を防ぐ、いわゆるセキュリティモードが設定されている場合であって、当該機密性文書の製版・印刷終了後、手動によりランダム製版巻き付け処理を行った時、当該孔版印刷装置で設定されているセキュリティモードの制限機能の一部である印刷ドラムロックと印刷ロックを一時的に解除するように制御する制御手段４、を有しているので、必要に応じ、任意のタイミングでランダム製版巻き付け処理を行った場合でも、セキュリティモードのような他の機密性を保持する機能との効率的で有機的な連携を行うことができる。
【０１２８】
本実施形態の孔版印刷システム１は、ランダム製版巻き付け処理に供されるランダムパターンは、疑似乱数から生成されたランダムドットパターン、もしくは、当該孔版印刷装置１００に搭載されているマークや簡易図形等を同一種類でないものを混在羅列したもの、もしくは、当該孔版印刷装置１００に搭載されている文字フォントを同一種類でないものを混在羅列したもの、もしくはダウンロード等により当該孔版印刷装置１００で利用可能となった文字フォントやマーク簡易図形などを同一種類でないものを混在羅列したもの、の少なくとも1つ以上から構成されることを特徴としているので、特別な装置や発生器を必要とすることなく、当該孔版印刷装置１００に標準的に備わっている装備で、容易にランダムパターンを生成することができる。
【０１２９】
本実施形態の孔版印刷システム１は、ランダム製版巻き付け処理に供されるランダムパターンは、ランダムドットパターンであれば、解像度変換したもの、マークや簡易図形、文字フォントであれば、サイズ変倍や回転処理したもの、などの、ベースとなるパターン要素にさらにモディファイ（変造）を施したものであることを特徴としているので、特別な装置や発生器を必要とすることなく、当該孔版印刷装置１００に標準的に備わっている装備で、容易にランダムパターンのバリエーションを作り出すことができる。
【０１３０】
本実施形態の孔版印刷システム１は、最後に（直近に）製版・印刷された文書の種類もしくはその最終ページの大勢を占める文書要素を自動判別し記憶しておく文書要素判別・記憶手段１０と、判別された文書種類とランダム製版巻き付けで付与されるランダムパターンとの対応付けを予め行う文書要素ランダムパターン対応手段１１と、ランダム製版巻き付け処理に供されるランダムパターンは、当該巻き付け処理直前に製版・印刷された文書（最終ページ）の種類もしくはその最終ページの大勢を占める文書要素に対応して、文書種類が文字文書なら文字パターンで、文書種類が写真ならドットパターンで、などというように、文書種類もしくは大勢を占める文書要素に対して、予め適当に定められた対応表からランダムパターンを選択し、適用するように制御する制御手段４と、を有しているので、種々の文書種類や文書要素に合わせたランダムパターンを、柔軟で効果的に適用することができる。
【０１３１】
本実施形態の孔版印刷システム１は、当該巻き付け処理直前に製版・印刷された文書（最終ページ）の文書要素およびその文書要素が占める領域・位置を判別し記憶しておく文書要素判別・記憶手段１０と、判別された文書要素とランダム製版巻き付けで付与されるランダムパターンとの対応付けを予め行う文書要素ランダムパターン対応手段１１と、ランダム製版巻き付け処理に供されるランダムパターンは、当該巻き付け処理直前に製版・印刷された文書（最終ページ）の文書要素およびその文書要素が占める領域とその位置に個別に対応して、文書要素が文字の領域には文字パターンで、文書要素が写真の領域にはドットパターンで、などというように、各文書要素に対して、予め適当に定められた対応表からランダムパターンを個別に選択し、適用するように制御する制御手段４と、を有しているので、種々の文書種類や文書要素に合わせたランダムパターンを、より柔軟できめ細かく効果的に適用することができる。
【０１３２】
本実施形態の孔版印刷システム１は、最後に（直近に）行われた製版・印刷された文書の種類もしくはその最終ページの大勢を占める文書要素を自動判別された結果は、操作者等に閲覧可能であるとともに、手動で当該文書要素の指定や修正が可能である文書要素判別・記憶手段１０と、判別された文書種類もしくは文書要素と、ランダム製版巻き付けで付与されるランダムパターンの対応付けが予め定められた対応表は、操作者が閲覧可能であるとともに、手動で当該対応表の内容の指定や修正が可能である文書要素ランダムパターン対応手段１１と、の少なくとも何れか1つ以上を有しているので、事前にどのようなランダム製版巻き付けが行われるかを把握でき、また、必要に応じ、当該設定を直接指定したり修正を行えるので、より柔軟でバラエティに富むランダム製版巻き付け処理を行うことができる。
【０１３３】
本実施形態の孔版印刷システム１は、文書種類もしくは文書要素は、和文文字、英文文字、線画・図形、写真・イメージの少なくともいずれか１つ以上を含むものに分類されることを特徴としているので、文書種類や文書要素の概念を直感的に容易に理解できるので、操作者は適切なランダム製版巻き付け処理の指定を行うことができる。
【０１３４】
本実施形態の孔版印刷システム１は、実際にランダム製版巻き付けを行うことなく、事前にランダム製版巻き付けに処されるランダム製版パターンの確認を行うかどうかを指定するランダム製版巻き付けテスト手段１２と、当該孔版印刷装置１００に搭載され、メニューのみならず画像の表示も可能な表示装置あるいは当該孔版装置と画像データや制御情報のやり取りを行い、無給電で表示画像を保持できる無給電画像表示装置、などの画像表示手段１３と前記ランダム製版巻き付けテスト手段１２によって、テスト実施する旨の指定がなされた時、テスト用の文書を原稿読取装置などで読取り、読取った文書種類もしくは文書要素に対応したランダム製版パターンを生成し、当該ランダム製版パターン、もしくは、当該ランダム製版パターンとテスト用文書画像を重畳した画像イメージ、を画像表示手段１３により表示させ、操作者にランダム製版巻き付けの動作や効果を事前に知らしめ確認させるよう制御する制御手段４と、を有しているので、ランダム製版巻き付けなるものがいかなるものであるかを、実際に製版動作させることなしに、操作者に理解させることができるとともに、また、ランダム製版パターンの効果を事前に予測することができる。また、その効果が思わしくない場合、文書種類もしくは文書要素によりよく適合したランダムパターンの指定を調整することができる。
【０１３５】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体的に様々な修正及び変更が可能である。
【符号の説明】
【０１３６】
１    孔版印刷装置
２    ランダム製版巻き付けモード指定手段
３    計時手段
４    制御手段
５    ランダム製版パラメータ指定手段
６    ランダムパターン生成手段
７    手動ランダム製版巻き付け操作手段
８    画像サイズ・位置記憶手段
９    巻装マスタ情報保持手段
１０    文書要素判別・記憶手段
１１    文書要素ランダムパターン対応手段
１２    ランダム製版巻き付けテスト手段
１３    画像表示手段
２０    孔版印刷装置の制御部
１００    孔版印刷装置
１０１    印刷ドラム
１０３    製版部（プロッタ）
１１０    画像読取り部（スキャナ）
１１１    操作部（操作パネル）
１１５    タッチパネル
１１９    マスタロール
１２０    インキパック
２００    ＡＣＵ
３００    ＥＣＵ
４００    電子ペーパー
【先行技術文献】
【特許文献】
【０１３７】
【特許文献１】特開平９−１４２００１号公報
【特許文献２】特許第２８２８４７３号公報
【特許文献３】特開２００９−１４３０７６号公報
【図１】
2012040810.tif 000003
【図２】
2012040810.tif 000004
【図３】
2012040810.tif 000005
【図４】
2012040810.tif 000006
【図５】
2012040810.tif 000007
【図６】
2012040810.tif 000008
【図７】
2012040810.tif 000009
【図８】
2012040810.tif 000010
【図９】
2012040810.tif 000011
【図１０】
2012040810.tif 000012
【図１１】
2012040810.tif 000013
【図１２】
2012040810.tif 000014
【図１３】
2012040810.tif 000015
【図１４】
2012040810.tif 000016
【図１５】
2012040810.tif 000017
【図１６】
2012040810.tif 000018
【図１７】
2012040810.tif 000019
【図１８】
2012040810.tif 000020
【図１９】
2012040810.tif 000021
【図２０】
2012040810.tif 000022
【図２１】
2012040810.tif 000023
【図２２】
2012040810.tif 000024
【図２３】
2012040810.tif 000025
【図２４】
2012040810.tif 000026
【図２５】
2012040810.tif 000027
【図２６】
2012040810.tif 000028
【図２７】
2012040810.tif 000029
【図２８】
2012040810.tif 000030
【図２９】
2012040810.tif 000031
【図３０】
2012040810.tif 000032
【図３１】
2012040810.tif 000033